(57)【要約】      （修正有）【課題】印刷装置のオペレーションパネルを操作する必要がなく、印刷を希望する文書名を確実に選択して印刷出力できる印刷システムを提供する。【解決手段】ホスト機器１と印刷装置がネットワークを介して接続され、撮像装置を備える携帯機器を使用する印刷システムであって、ユーザ情報を付加した複数の印刷データを上記印刷装置に出力する出力手段と、上記複数の印刷データの文書名の情報をコード情報に変換して表示する表示制御手段とを有し、上記撮像手段によって撮像した上記コード情報から１又は２以上の文書名の情報を選択する選択手段とを有し、上記携帯機器から前記文書名の情報を読み取る第１の読取手段と、上記携帯機器からユーザ情報を読み取る第２の読取手段と、この第２の読取手段によって読み取ったユーザ情報に一致する上記印刷データであって、上記選択された１又は２以上の文書名の印刷データの印刷処理を行う。【選択図】図１
2010191671.tif 000002
【特許請求の範囲】
【請求項１】
ホスト機器と印刷装置がネットワークを介して接続され、撮像装置を備える携帯機器を使用する印刷システムにおいて、
前記ホスト機器は、
ユーザ情報を付加した複数の印刷データを前記印刷装置に出力する出力手段と、
前記複数の印刷データの文書名の情報をコード情報に変換して表示する表示制御手段とを有し、
前記携帯機器は、
前記撮像手段によって撮像した前記コード情報を前記文書名の情報に変換する変換手段と、
該変換手段によって変換された複数の文書名の情報から１又は２以上の文書名の情報を選択する選択手段とを有し、
前記印刷装置は、
前記携帯機器から前記文書名の情報を読み取る第１の読取手段と、
前記携帯機器からユーザ情報を読み取る第２の読取手段と、
該第２の読取手段によって読み取ったユーザ情報に一致する前記印刷データであって、前記選択された１又は２以上の文書名の印刷データの印刷処理を行う印刷処理手段と、
を有することを特徴とする印刷システム。
【請求項２】
前記コード情報には、更に印刷部数の情報、及び本人以外の前記印刷データの印刷出力の許可を得た者の情報も含まれ、前記印刷処理手段は前記印刷データの印刷部数の指定、及び前記印刷出力の許可を得た者の情報との一致判断も行うことを特徴とする請求項１に記載の印刷システム。
【請求項３】
ホスト機器と印刷装置がネットワークを介して接続された印刷システムに使用される携帯機器であって、
複数の印刷データの文書名の情報が変換され、前記印刷装置に表示されたコード情報を撮像する撮像手段と、
該撮像手段によって撮像した前記コード情報を前記文書名の情報に変換する変換手段と、
該変換手段によって変換された複数の文書名の情報から１又は２以上の文書名の情報を選択する選択手段と、
該選択手段によって選択された１又は２以上の文書名の情報を前記印刷装置に送信し、前記文書名の情報に一致する印刷データの印刷を行わせる送信手段と、
を有することを特徴とする携帯機器。
【請求項４】
前記コード情報には、更に印刷部数の情報、及び本人以外の前記印刷データの印刷出力の許可を得た者の情報も含まれ、前記選択手段は前記印刷データの印刷部数の指定、及び前記印刷出力の許可を得た者の情報との一致判断も行うことを特徴とする請求項３に記載の携帯機器。
【請求項５】
撮像装置を備える携帯機器を使用し、ネットワークを介してホスト機器に接続された印刷装置において、
前記ホスト機器からユーザ情報が付加された複数の印刷データが入力する第１の入力手段と、
前記携帯機器から出力される１又は２以上の文書名の情報を入力する第２の入力手段と、
前記携帯機器から出力されるユーザ情報を入力する第３に入力手段と、
前記第１の入力手段から入力したユーザ情報と前記第３の入力手段から入力するユーザ情報が一致するとき、前記第２の入力手段から入力した前記１又は２以上の文書名の情報に対応する印刷データの印刷処理を行う印刷処理手段と、
を有することを特徴とする印刷装置。
【請求項６】
前記第１の入力手段には、更に印刷部数の情報、及び本人以外の前記印刷データの印刷出力の許可を得た者の情報も入力し、前記第２の入力手段には、更に印刷部数の情報も入力し、前記第３の入力手段には、前記印刷データの出力許可を得た者の情報も入力し、前記第１の入力手段から入力した本人以外の者の情報と前記第３の入力手段から印刷データの出力許可を得た者の情報が一致するとき、前記第２の入力手段から入力した前記文書名の情報に対応する印刷データの印刷処理を行う印刷処理手段とを有することを特徴とする請求項５に記載の印刷装置。
【発明の詳細な説明】
【技術分野】
【０００１】
本発明は、ネットワークを介して複数のホスト機器に接続された印刷装置、及び印刷システムに関する。
【背景技術】
【０００２】
今日、コンピュータネットワークが広く使用され、例えばＬＡＮ（ローカルエリアネットワーク）等のネットワークにプリンタ装置等の印刷装置を接続し、パーソナルコンピュータ（ＰＣ）等のホスト機器から印刷データを供給して印刷処理を行うシステムが使用されている。このようなシステムにおいては、ホスト機器と印刷装置が離れた場所に設置される場合が多く、秘匿性にある文書を印刷する場合、以下のような方法が採用されている。
【０００３】
例えば、ＩＣカードを使用し、印刷装置に装着されているＩＣカードリーダに翳してＩＣカードの情報を認識させ、一致するＩＤのジョブ（文書データ）を印刷装置によって全て印刷させる方法である。また、印刷装置のオペレーションパネルを操作し、印刷するジョブを選択し、選択する文書データのみを印刷する方法も行われている。
特許文献１は、印刷データを生成する際、出力先プリンタ及びプリンタ設定情報を印刷履歴に関連付けて記憶し、再印刷処理が要求されると印刷履歴に記憶した印刷情報の一覧を操作端末に表示し、選択された印刷履歴で特定される印刷ファイルおよび印刷設定、或いはそれらの一部を変更した内容にて印刷データを作成してプリンタに出力する構成である。
【０００４】
また、特許文献２は、パーソナルコンピュータ（ＰＣ）等のホスト機器に接続され、プリンタドライバを使用しない印刷装置に関する発明であり、プリンタドライバを使用することなくホスト機器によって作成された印刷データを印刷し、利便性がよく、プリンタドライバのインストール等の作業が不用な印刷装置を開示する。
【先行技術文献】
【特許文献】
【０００５】
【特許文献１】特開２００５−１７３７２５号公報
【特許文献２】特開２００８−０５２４５７号公報
【発明の概要】
【発明が解決しようとする課題】
【０００６】
しかしながら、従来のＩＣカードリーダを翳してＩＣカードの情報を認識させ、一致するＩＤのジョブ（文書データ）を印刷装置によって印刷させる方法では、印刷装置に格納された印刷データを全て印刷出力することになる。
また、印刷装置のオペレーションパネルを操作し、印刷するジョブを選択し、選択する文書データのみを印刷する方法では、パネル表示の文字数制限や同じ名称の文書名による印刷など、文書を選択する際に注意が必要であり、誤った文書名の印刷データを印刷出力させてしまう場合もある。
【０００７】
そこで、本発明は上記問題に鑑みてなされたものであり、携帯電話機等の携帯機器を使用し、印刷装置のオペレーションパネルを操作する必要がなく、印刷を希望する文書名を確実に選択して印刷出力でき、更に本人以外の者が所有する携帯電話機からも印刷指示を行って印刷出力することができる印刷システム、及び印刷装置を提供するものである。
【課題を解決するための手段】
【０００８】
上記課題は第１の発明によれば、ホスト機器と印刷装置がネットワークを介して接続され、撮像装置を備える携帯機器を使用する印刷システムにおいて、前記ホスト機器は、ユーザ情報を付加した複数の印刷データを前記印刷装置に出力する出力手段と、前記複数の印刷データの文書名の情報をコード情報に変換して表示する表示制御手段とを有し、前記携帯機器は、前記撮像手段によって撮像した前記コード情報を前記文書名の情報に変換する変換手段と、該変換手段によって変換された複数の文書名の情報から１又は２以上の文書名の情報を選択する選択手段とを有し、前記印刷装置は、前記携帯機器から前記文書名の情報を読み取る第１の読取手段と、前記携帯機器からユーザ情報を読み取る第２の読取手段と、該第２の読取手段によって読み取ったユーザ情報に一致する前記印刷データであって、前記選択された１又は２以上の文書名の印刷データの印刷処理を行う印刷処理手段とを有する印刷システムを提供することによって達成できる。
【０００９】
また、第２の発明によれば、前記コード情報には、更に印刷部数の情報、及び本人以外の前記印刷データの印刷出力の許可を得た者の情報も含まれ、前記印刷処理手段は前記印刷データの印刷部数の指定、及び前記印刷出力の許可を得た者の情報との一致判断も行う印刷システムを提供することによって達成できる。
また、第３の発明によれば、ホスト機器と印刷装置がネットワークを介して接続された印刷システムに使用される携帯機器であって、複数の印刷データの文書名の情報が変換され、前記印刷装置に表示されたコード情報を撮像する撮像手段と、該撮像手段によって撮像した前記コード情報を前記文書名の情報に変換する変換手段と、該変換手段によって変換された複数の文書名の情報から１又は２以上の文書名の情報を選択する選択手段と、該選択手段によって選択された１又は２以上の文書名の情報を前記印刷装置に送信し、前記文書名の情報に一致する印刷データの印刷を行わせる送信手段とを有する携帯機器を提供することによって達成できる。
【００１０】
また、第４の発明によれば、前記コード情報には、更に印刷部数の情報、及び本人以外の前記印刷データの印刷出力の許可を得た者の情報も含まれ、前記選択手段は前記印刷データの印刷部数の指定、及び前記印刷出力の許可を得た者の情報との一致判断も行う携帯機器を提供することによって達成できる。
【００１１】
また、第５の発明によれば、撮像装置を備える携帯機器を使用し、ネットワークを介してホスト機器に接続された印刷装置において、前記ホスト機器からユーザ情報が付加された複数の印刷データが入力する第１の入力手段と、前記携帯機器から出力される１又は２以上の文書名の情報を入力する第２の入力手段と、前記携帯機器から出力されるユーザ情報を入力する第３に入力手段と、前記第１の入力手段から入力したユーザ情報と前記第３の入力手段から入力するユーザ情報が一致するとき、前記第２の入力手段から入力した前記１又は２以上の文書名の情報に対応する印刷データの印刷処理を行う印刷処理手段とを有する印刷装置を提供することによって達成できる。
また、第６の発明によれば、前記第１の入力手段には、更に印刷部数の情報、及び本人以外の前記印刷データの印刷出力の許可を得た者の情報も入力し、前記第２の入力手段には、更に印刷部数の情報も入力し、前記第３の入力手段には、前記印刷データの出力許可を得た者の情報も入力し、前記第１の入力手段から入力した本人以外の者の情報と前記第３の入力手段から印刷データの出力許可を得た者の情報が一致するとき、前記第２の入力手段から入力した前記文書名の情報に対応する印刷データの印刷処理を行う印刷処理手段とを有する印刷装置を提供することによって達成できる。
【発明の効果】
【００１２】
本発明によれば、撮像装置を有する携帯電話機等の携帯機器にフェリカ（FeliCa）（登録商標）機能を搭載し、撮像装置によってコード情報を撮像し、文書名の情報に変換し、携帯機器によって印刷処理を行う印刷データを選択し、印刷装置に送信することによって、選択した文書名の印刷データの印刷処理を行うことができ、更に本人以外の者が所有する携帯機器からも印刷指示を行って印刷出力を行わせることができる。
【図面の簡単な説明】
【００１３】
【図１】本実施形態の処理動作を説明する図である。
【図２】本実施形態の印刷装置をネットワークを介してホスト機器に接続したシステム構成図である。
【図３】携帯電話機１２の内部構成を説明する図である。
【図４】本実施形態の処理動作を説明するフローチャートであり、（ａ）は、ホスト機器の処理を示すフローチャートであり、（ｂ）は、携帯電話機の処理を示すフローチャートであり、（ｃ）は、印刷装置の処理を示すフローチャートである。
【図５】携帯電話機の表示部の表示画面であり、（ａ）は、本人の携帯電話機の表示画面に表示した印刷部数、及び印刷許可者とその印刷部数の情報を示す図であり、（ｂ）は、本人以外の携帯電話機の表示画面に表示した印刷許可者とその印刷部数の情報を示す図である。
【発明を実施するための形態】
【００１４】
以下、本発明の実施の形態を図面に基づいて説明する。
図２は、本実施形態の印刷装置をネットワークを介してホスト機器に接続したシステム構成図である。本システムはパーソナルコンピュータ（ＰＣ）等のホスト機器１とプリンタ装置２をＬＡＮ（ローカル・エリア・ネットワーク）を介して接続した構成である。ホスト機器１は不図示のキーボード等の入力部や、印刷データの出力部１ｂ、表示部１ｃ、プリンタドライバ等で構成され、アプリケーションプログラムに従って作成した印刷データをプリンタ装置２に出力する。また、ホスト機器１にはＩＣカードリーダ１ａが接続されている。
【００１５】
プリンタ装置２には記憶装置（ハードディスク（ＨＤＤ））３が内蔵され、ＬＡＮ通信制御部４を介して上記ホスト機器１との通信を行う。プリンタ装置２は制御部５、及びプリンタ部６で構成され、制御部５は上記ＬＡＮ通信制御部４、及びＵＳＢ通信制御部７、記憶装置制御部８、ＩＣカードリーダ制御部９、通信制御部１０、ＣＰＵ１１で構成されている。ＵＳＢ通信制御部７は装着されたＵＳＢメモリやパーソナルコンピュータ（ＰＣ）等との通信を行い、記憶装置制御部８は上記記憶装置（ＨＤＤ）３へのデータ書き込み、及び記憶装置（ＨＤＤ）３に記憶されたデータの読み出し制御を行う。
【００１６】
また、ＩＣカードリーダ制御部９はプリンタ装置２に接続されたＩＣカードリーダ１３との通信を行い、ＩＣカードリーダ１３からデータを受信し、ＣＰＵ１１にデータを送信する。また、ＩＣカードリーダ１３はＩＣカードとの間で通信を行うことは勿論、後述する携帯電話機１２とも通信を行い、携帯電話機１２からユーザＩＤ（ＵＩＤ）を受信する。また、通信制御部１０は、携帯電話/プリンタ間通信装置１７に接続され、携帯電話/プリンタ間通信装置１７を介して携帯電話機１２との間でデータの授受を行う。例えば、携帯電話機１２から送信される文書名の情報を受信し、ＣＰＵ１１に送信する。
【００１７】
一方、プリンタ部６は印刷制御部１４、印刷機構部１５、及び給紙装置制御部１６で構成され、給紙装置制御部１６の制御によって搬出された記録媒体に印刷制御部１４の制御に基づいて印刷処理が行われ、印刷機構部１５の駆動によって印刷データに従った印刷出力が行われる。
図３は、上記携帯電話機１２の内部構成を説明する図である。携帯電話機１２はメイン部１８、及びアプリケーション制御部１９で構成され、メイン部１８は撮像手段を有するカメラ部２０、ブルートゥース（Bluetooth）（登録商標）等の通信制御部２１、不揮発性メモリと無線通信チップを有するフェリカ（FeliCa）２２で構成されている。
【００１８】
アプリケーション制御部１９には、例えばカメラ部２０で撮像したＱＲコードを解析し、ＱＲコードに含まれる文書データ等の情報を取得するアプリケーションプログラムが記憶されている。また、通信制御部２１はホスト機器１やプリンタ装置２と通信を行う際、ブルートゥース（Bluetooth）や赤外線による通信の制御を行う。さらに、フェリカ（FeliCa）２２は前述のＩＣカードリーダ１３との間で無線通信を行い、不揮発性メモリに記憶するユーザＩＤをＩＣカードリーダ１３に送信する。
【００１９】
次に、本実施形態の処理動作について説明する。
図１は本例の処理動作を説明する図である。また、図４は本例の処理動作を説明するフローチャートであり、図４(ａ)はホスト機器１の処理を示し、図４（ｂ）は携帯電話機１２の処理を示し、図４（ｃ）はプリンタ装置２の処理を示す。
【００２０】
先ず、ホスト機器１はプリンタドライバによってＩＣカードの認証を選択する（ステップ（以下、Ｓで示す）１）。すなわち、プリンタドライバは、図１に示すホスト機器１の印刷設定画面Ｂを表示し、認証印刷を選択すると共に、ＩＣカード認証を選択する。
【００２１】
次に、携帯電話機１２を使用してＩＣカード情報の登録を行う（Ｓ２）。すなわち、ユーザはＩＣカードリーダ１ａに携帯電話機１２を翳し（Ｓ３）、前述のフェリカ（FeliCa）２２からユーザＩＤ（ＵＩＤ）をＩＣカードリーダ１ａに読み取らせ、ホスト機器１にユーザＩＤ（ＵＩＤ）を登録する。
【００２２】
次に、印刷処理を実行し（Ｓ４）、アプリケーションに従って作成された印刷データをプリンタ装置２に対応した中間コマンドに変換すると共に、取得したユーザＩＤを付加してプリンタ装置２に送信する。また、この時プリンタドライバの表示に従って印刷部数の指定を行い、印刷データに印刷部数の情報も付加する。さらに、本人以外の者に上記印刷データの印刷出力を許可する場合には、対象者のユーザＩＤ（ＵＩＤ）の情報も印刷データに付加してプリンタ装置２に送信する。
【００２３】
尚、この時ＩＣカード情報（ユーザＩＤ）が未登録であれば（Ｓ５がＹＥＳ）、例えば当該事実を印刷設定画面Ｂに表示し、ユーザに対して携帯電話機１２を使用してＩＣカードリーダ１ａからのユーザＩＤを入力するように促し、ユーザＩＤの入力処理を行わせる（Ｓ６）。
【００２４】
次に、ホスト機器１は印刷データの文書名（又はファイル名）の情報をＱＲコードに変換して印刷設定画面Ｂに表示し（Ｓ７）、このＱＲコードを専用のアプリケーションプログラムによって携帯電話機１２に読み取らせ、保存する（Ｓ８）。また、本人以外の者に上記印刷データの印刷出力を許可する場合には、対象者のユーザＩＤ（ＵＩＤ）の情報、及び対象者毎の印刷部数の情報もＱＲコードに変換して印刷設定画面Ｂに表示する。
【００２５】
すなわち、携帯電話機１２は認証印刷専用のアプリケーションプログラムを起動し（Ｓ９）、ホスト機器１に表示されるＱＲコードをカメラ部２０によって撮像し、読み取ったＱＲコードをアプリケーション制御部１９によって解析し、文書名（ファイル名）の情報を取得する（Ｓ１０）。また、ＱＲコードに上記印刷許可対象者のユーザＩＤ（ＵＩＤ）、及び印刷部数の情報が含まれている場合には、これらの情報も取得する。
【００２６】
次に、ユーザはプリンタ装置２が設置された場所に向かい、印刷する文書名（ファイル名）を選択する（Ｓ１１）。図１に示すＣは携帯電話機１２による文書名（ファイル名）の選択処理を説明する画面であり、例えば印刷リスト「１２３」、「ＡＢＣ」、「ＸＹＺ」を携帯電話機１２のディスプレイに表示し、印刷を希望する文書名（ファイル名）を選択する。
【００２７】
また、選択した文書名の印刷データに対して複数部数の印刷指定があり、本人以外の者に上記印刷データの印刷出力を許可する場合には、更に図５(ａ)に示すように、本人の印刷部数、及び印刷許可者とその印刷部数の情報も表示される。尚、必要であれば、上記画面上で印刷部数の変更操作を可能としてもよい。
【００２８】
また、図５（ｂ）は印刷を許可された、例えばＡ氏の携帯電話機に表示される情報であり、印刷が許可された文書名の情報と印刷部数の情報が表示される。
次に、プリンタ装置２のＩＣカードリーダ１３に携帯電話機１２を翳し（Ｓ１２、Ｓ１３）、携帯電話機１２のユーザＩＤをＩＣカードリーダ１３を介してプリンタ装置２に読み取らせる。また、携帯電話/プリンタ間通信装置１７を介して選択した文書名の情報及び印刷部数の情報をプリンタ装置２に送信する（Ｓ１４）。すなわち、携帯電話機１２は通信制御部２１から、例えばブルートゥース通信によって選択した文書名（例えば、「ＡＢＣ」）及び印刷部数の情報を携帯電話/プリンタ間通信装置１７に送信する。
【００２９】
プリンタ装置２では、ＩＣカードリーダ１３を介して入力したユーザＩＤ（ＵＩＤ）を使用して、プリンタ装置２の記憶装置（ＨＤＤ）３に記憶された印刷データに付加されたユーザＩＤを検索する。そして、一致するユーザＩＤ（ＵＩＤ）が存在すると（Ｓ１５がＹＥＳ）、携帯電話機１２から上記選択した文書名（例えば、「ＡＢＣ」）の情報、及び印刷部数の情報を取得し（Ｓ１６）、対応する文書名の印刷データが格納されているとき（Ｓ１７がＹＥＳ）、当該文書名（例えば、「ＡＢＣ」）の印刷データの印刷処理を実行する（Ｓ１８）。
【００３０】
すなわち、プリンタ装置２では指定された文書名の印刷データに印刷処理を行い、印刷部数が指定されている場合には当該部数の印刷出力を行う。その後、印刷出力が行われた文書名（ファイル名）の印刷データを削除し（Ｓ１９）、携帯電話機１２では対応する文書名（例えば、「ＡＢＣ」）の情報を削除する（Ｓ２０）。
【００３１】
以上のように、本例によれば複数の文書名の印刷データをプリンタ装置２に登録し、認証印刷を行う場合、携帯電話機１２を使用して１文書毎に選択し、印刷処理を行うことができる。したがって、例えば用紙やトナー残量が少ないとき、必要最低限の文書のみを印刷する場合、また文書によって新しい用紙や、裏紙を使用したい場合など、必要な文書を選択して印刷出力することができる。
【００３２】
一方、本人以外の者に上記印刷データの印刷出力を許可した場合には、以下の処理が行われる。すなわち、図５（ｂ）に示すＡ氏の例では、Ａ氏の携帯電話機をプリンタ装置２に翳し、ユーザＩＤをＩＣカードリーダ１３を介してプリンタ装置２に読み取らせる。また、携帯電話/プリンタ間通信装置１７を介して文書名の情報及び印刷部数の情報をプリンタ装置２に送信する（Ｓ１３、Ｓ１４）。
【００３３】
プリンタ装置２では、ＩＣカードリーダ１３を介して入力したユーザＩＤ（ＵＩＤ）を使用して、プリンタ装置２の記憶装置（ＨＤＤ）３に記憶された印刷データに付加されたユーザＩＤを検索し、Ａ氏のユーザＩＤを検出し（Ｓ１５がＹＥＳ）、携帯電話機から取得した文書名の情報、及び印刷部数の情報に従って印刷処理を行う（Ｓ１６〜Ｓ１８）。
【００３４】
このように処理することによって、本人以外の者が指定した文書名の印刷データの印刷を行わせることができ、より便利な印刷システムとすることができる。
尚、上記プリンタ装置２の処理として、指定された文書名の印刷データの削除（Ｓ１９、Ｓ２０）は以下のようにして行う。例えば、上記印刷処理が完了した後、本人が指定したTOTAL印刷部数（Ｎ）に達していれば当該印刷データを削除するが、本人が指定したTOTAL印刷部数（Ｎ）に達していなければ、上記本人以外の者で印刷出力が許可された対象者のユーザＩＤ（ＵＩＤ）が入力することによって印刷データの出力を行い、TOTAL印刷部数（Ｎ）に達すれば当該印刷データを削除する。また、この場合でもTOTAL印刷部数（Ｎ）に達していなければ、本人又は印刷許可の対象者による印刷処理が行われる可能性があるので、当該印刷データは削除しない。
【００３５】
また、上記実施形態の説明では、携帯電話機１２を使用する例について説明したが、携帯電話機１２に限らず、撮像装置と通信装置を備えるＰＤＡ（personal digital assistant）や、電子スチルカメラ等を携帯機器として使用してもよい。
【００３６】
また、ＩＣカードリーダ内蔵の液晶モニタ等を使用すれば、画面上でユーザＩＤの読み込みとＱＲコードの読み込みを同時に行うことができ、操作性が向上する。
さらに、上記文書名（ファイル名）の情報として、印刷日時等の情報を含めてもよい。
【符号の説明】
【００３７】
１・・・ホスト機器
２・・・プリンタ装置
３・・・記憶装置（ハードディスク（ＨＤＤ））
４・・・ＬＡＮ通信制御部
５・・・制御部
６・・・プリンタ部
７・・・ＵＳＢ通信制御部
８・・・記憶装置制御部
９・・・ＩＣカードリーダ制御部
１０・・通信制御部
１１・・ＣＰＵ
１２・・携帯電話機
１３・・ＩＣカードリーダ
１４・・印刷制御部
１５・・印刷機構部
１６・・給紙装置制御部
１７・・携帯電話/プリンタ間通信装置
１８・・メイン部
１９・・アプリケーション制御部
２０・・カメラ部
２１・・通信制御部
２２・・フェリカ（FeliCa）
【図２】
2010191671.tif 000003
【図４】
2010191671.tif 000004
【図１】
2010191671.tif 000005
【図３】
2010191671.tif 000006
【図５】
2010191671.tif 000007